(57)【要約】【目的】本発明は、遮熱機能、断熱機能、排湿機能、排気機能、結露防止機能、防水機能、等を有する通気水切りに係るものである。【構成】垂直平面状の固定面４と、固定面４の下端を屋内側で先端が下方に突出し、通気孔５ａを複数個形成した通気孔形成面５と、固定面４の途中を屋外側の下方へ傾斜して突出した傾斜片８と、傾斜片８の先端を下方に垂下した化粧片９とから形成した通気水切りＤである。【選択図】図１
2013096063.tif 000002
【特許請求の範囲】
【請求項１】
垂直平面状の固定面と、該固定面の下端を屋内側で先端を下方に突出させ、通気孔を複数個形成した通気孔形成面と、固定面の下端を屋外側の下方へ傾斜して突出した傾斜片と、該傾斜片の先端を下方に垂下した化粧片とから形成したことを特徴とする通気水切り。
【発明の詳細な説明】
【技術分野】
【０００１】
本発明は、遮熱機能、断熱機能、排湿機能、排気機能、結露防止機能、防水機能、等を有する通気水切りに係るものである。
【背景技術】
【０００２】
壁体内が密閉状態の場合、水蒸気の逃げ場が無く、外気温度が低いと外壁材裏面や壁体内に結露が発生する。そこで、壁体内の水蒸気を外気に排出して内部結露を防止したり、土台や柱にしみ込んだ水分を外気に排出するために、外壁材と躯体間に厚さ２０ｍｍ程度の空気層を設ける工法、所謂通気工法が開発された。本来、通気工法とは、壁内結露防止のための工法である。（例えば、特許文献参照）。
【先行技術文献】
【特許文献】
【０００３】
【特許文献１】実用新案登録第３０７６２１４号
【発明の概要】
【発明が解決しようとする課題】
【０００４】
しかしながら、特許文献の通気工法用虫侵入防止材は縦胴縁の下端に通気孔を形成した水切り材を、胴縁を形成する前に土台に形成し、その後、縦胴縁、外装板を形成するものであるが、形成する通気孔を形成した有効壁部の幅を縦胴縁の厚さと同一の物を使用する必要があり、有効壁部の幅が狭い場合には、有効壁部と縦胴縁間に空間が出来てしまい防虫が出来ない構造となり、広い場合には施工に支障を来す課題があった。
【課題を解決するための手段】
【０００５】
本発明はこのような欠点を解決するために、垂直平面状の固定面と、該固定面の下端を屋内側で先端を下方に突出させ、通気孔を複数個形成した通気孔形成面と、固定面の下端を屋外側の下方へ傾斜して突出した傾斜片と、該傾斜片の先端を下方に垂下した化粧片とから形成したことを特徴とする通気水切りを提供するものである。
【発明の効果】
【０００６】
本発明に係る通気水切りによれば、通気口形成面の形成により（１）縦胴縁の形成位置、厚さに対応して施工出来る。（２）防虫機能と排気機能を確実に形成出来る。（３）防虫機能と排気機能と水切り機能を具備した構造を形成出来る。等の特徴、効果がある。
【図面の簡単な説明】
【０００７】
【図１】本発明に係る通気水切りの一例を示す断面図と斜視図である。
【図２】本発明に係る通気水切りの施工状態の代表的一例を示す断面図である。
【図３】本発明に係る通気水切りの施工に使用する捨て水切りの一例を示す断面図である。
【図４】本発明に係る通気水切りの施工に使用するスターターの一例を示す断面図である。
【図５】本発明に係る通気水切りの施工に使用する乾式壁材の一例を示す断面図である。
【図６】本発明に係る通気水切りのその他の施工状態を示す断面図である。
【図７】本発明に係る通気水切りのその他の施工状態を示す断面図である。
【図８】本発明に係る通気水切りのその他の施工状態を示す断面図である。
【図９】本発明に係る通気水切りのその他の実施例を示す断面図である。
【発明を実施するための形態】
【実施例】
【０００８】
以下に図面を用いて本発明に係る通気水切りの一実施例について詳細に説明する。すなわち、図１（ａ）、（ｂ）は本発明に係る通気水切りＤの一例を示す説明図、図２は本発明に係る通気水切りの施工状態を示す断面図、図３は本発明に係る通気水切りの施工に使用する捨て水切りＡの一例を示す断面図、図４は本発明に係る通気水切りの施工に使用するスターターＥの一例を示す断面図、図５は本発明に係る通気水切りの施工に使用する乾式壁材Ｆの一例を示す断面図である。また、Ｂは透湿防水シート、Ｃは縦胴縁、Ｓは通気層、Ｔは縦胴縁Ｃ間に形成された通気口、αは躯体、βは固定具、γは基礎である。
【０００９】
捨て水切りＡは図３に示すように、基礎γに直接雨水等が降りかからないようにすると共に、意匠性を向上するものであり、垂直平面状の垂直面１と、垂直面１の下端を屋外側へ突出した水平面２と、水平面２の先端を下方に垂下した垂下面３とから形成した長尺状部材である。
【００１０】
通気水切りＤは図１に示すように、垂直平面状の固定面４と、固定面４の下端を屋内側で先端を下方に突出させ、通気孔５ａを複数個形成した水平片６と、水平片６の先端を下方に垂下した垂直片７とから形成した通気孔形成面５と、固定面４の途中を屋外側の下方へ傾斜して突出した傾斜片８と、傾斜片８の先端を下方に垂下した化粧片９と、化粧片９の下端を内方に屈曲した補強片９ａとから形成した長尺状部材である。
【００１１】
スターターＥは図４に示すように、垂直平面状の固定部１０と、固定部１０下端を屋外側へ突出すると共に先端を上方に屈曲して突出した係合片１１と、固定部１０と係合片１１とから形成した係合溝１２とから形成した長尺状部材である。
【００１２】
捨て水切りＡ、通気水切りＤ、スターターＥの素材の一例としては金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形、等によって各種形状に成形したものである。
【００１３】
乾式壁材Ｇは図５に示すように表面材１３と裏面材１５間に芯材１４を形成し、表面材１３の化粧面１６に、凸部１７、凹部１８を形成し、上下端に雌型連結部１９と雄型連結部２０を形成し、雄型連結部２０内にパッキン２１を形成したものであり、固定具βの打設と、雌型連結部１９と雄型連結部２０を嵌合することにより乾式壁材Ｂを連結するものである。
【００１４】
表面材１３、裏面材１５は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したものである。
【００１５】
芯材１４は例えばポリウレタンフォーム、ポリイソシアヌレートフォーム、フェノールフォーム、塩化ビニルフォーム、ポリエチレンフォーム、ポリスチレンフォーム、ユリアフォーム、等の合成樹脂発泡体からなるものであり、例えばレゾール型フェノールの原液と、硬化剤、発泡剤を混合し、表面材１３、もしくは裏面材１５の裏面側に吐出させ、加熱して反応・発泡・硬化させて形成したものである。また、芯材１０中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、防火性を向上させることもできる。
【００１６】
さらに詳説すると、芯材１４は主に断熱材、防火材、接着剤、補強材、緩衝材、吸音材、嵩上材、軽量化材、等として機能するものである。勿論、芯材１４としてロックウール、グラスウール、セラミックウール等の無機材を使用しても良いものである。
【００１７】
さらに詳説すると、通気水切りＤは図１に示すように、縦胴縁Ｃの下端部分の隙間を形成し、通気口Ｔを形成した場合に、通気口Ｔ部分から虫等が躯体α内に浸入しないように通気口Ｔを閉塞すると共に、虫が入り込めない位の大きさの通気孔５ａを複数個形成することにより、通気機能と防虫機能を両立させた構造としたものである。
【００１８】
また、本発明に係る通気水切りによれば、図６〜図８に示すように、通気口Ｔの高さが広くなった場合（図６）、縦胴縁Ｃの厚さが厚くなった場合（図７）、縦胴縁Ｃの厚さが薄くなった場合（図８）にでも、通気板Ｄの施工位置を変化させることにより、通気性と防虫性を付加した構造を形成出来るものである。
【００１９】
以上説明したのは本発明に係る通気水切りの一実施例にすぎず、図９（ａ）〜（ｄ）に示すように通気水切りＤを形成することもできる。
【符号の説明】
【００２０】
Ａ  捨て水切り
Ｂ  透湿防水シート
Ｃ  縦胴縁
Ｄ  通気水切り
Ｅ  スターター
Ｆ  乾式壁材
Ｓ  通気層
Ｔ  通気口
α  躯体
β  固定具
γ  基礎
１  垂直面
２  水平面
３  垂下面
４  固定面
５  通気孔形成面
５ａ  通気孔
６  水平片
７  垂直片
８  傾斜片
９  化粧片
９ａ  補強片
１０  固定部
１１  係合片
１２  係合溝
１３  表面材
１４  芯材
１５  裏面材
１６  化粧面
１７  凸部
１８  凹部
１９  雌型連結部
２０  雄型連結部
２１  パッキン
【図１】
2013096063.tif 000003
【図２】
2013096063.tif 000004
【図３】
2013096063.tif 000005
【図４】
2013096063.tif 000006
【図５】
2013096063.tif 000007
【図６】
2013096063.tif 000008
【図７】
2013096063.tif 000009
【図８】
2013096063.tif 000010
【図９】
2013096063.tif 000011